(57)【特許請求の範囲】
【請求項１】
被塗布部に塗布する内容物が収容される容器本体と、
前記容器本体の口部に装着され、前記容器本体内に連通する連通孔を有する中栓部材と、
前記中栓部材との間に、前記連通孔を通して前記容器本体内に連通する計量室を形成する計量筒部材と、
前記計量室内に設けられるとともに、先端部が前記計量筒部材の頂部に形成された装着孔を通して前記計量筒部材の外部に突出する塗布栓と、を備えた塗布容器であって、
前記塗布栓は、
前記塗布容器の外部と前記計量室内との連通を遮断し、かつ前記計量室内と前記連通孔とを連通させる計量位置と、
容器軸方向において前記計量位置よりも前記容器本体の底部側に位置するとともに、前記計量室内と前記連通孔との連通を遮断し、前記塗布容器の外部と前記計量室内とを連通させる塗布位置と、の間を容器軸方向に移動自在に配設され、
前記中栓部材には、容器軸方向に沿って延びるとともに、前記塗布位置において前記塗布栓を容器軸方向に沿う前記容器本体の底部側に向けて弾性変位自在に支持する弾性部が一体に形成されていることを特徴とする塗布容器。
【請求項２】
前記中栓部材には、容器軸方向に沿って延びるとともに、前記中栓部材及び前記塗布栓の相対的な容器軸方向の移動に伴って前記塗布栓に形成されたガイド孔内に進退し、容器軸方向に沿う前記塗布栓の移動を案内するガイド部が配設されていることを特徴とする請求項１記載の塗布容器。
【発明の詳細な説明】
【技術分野】
【０００１】
本発明は、塗布容器に関する。
【背景技術】
【０００２】
従来から、人体の頭皮等の被塗布部に対して薬液等の内容物を塗布する塗布容器が知られている。この種の塗布容器は、内容物が収容される有底筒状の容器本体と、容器本体の口部に装着され、容器本体内に連通する連通孔を有する中栓部材と、中栓部材との間に、連通孔を通して容器本体内に連通する計量室を形成する計量筒部材と、計量筒部材の頂部に形成された装着孔内に挿通されるとともに、吐出孔を有する弁部材と、を備えている（例えば、下記特許文献１参照）。
【０００３】
また、上述した弁部材は、計量筒部材の吐出孔と計量室内との連通を遮断し、かつ計量室内と中栓部材の連通孔とを連通させる計量位置と、容器軸方向における計量位置よりも容器本体の底部側に位置するとともに、計量室内と連通孔との連通を遮断し、かつ吐出孔と計量室内とを連通させる塗布位置と、の間を容器軸方向に移動自在に配設されている。
【０００４】
上述した塗布容器において、内容物を被塗布部に塗布するには、まず弁部材を計量位置に移動させた状態で塗布容器を倒立姿勢とし、容器本体内の内容物を計量室内に流入させる。これにより、計量室に所定量の内容物が計量される。この状態で、弁部材の先端部を被塗布部に押し付ける。すると、弁部材が塗布位置に移動することで、計量室内の内容物が弁部材の吐出孔を通して吐出される。これにより、被塗布部に内容物が塗布される。
【先行技術文献】
【特許文献】
【０００５】
【特許文献１】特開２００２−３３７９１０号公報
【発明の概要】
【発明が解決しようとする課題】
【０００６】
しかしながら、上述した従来の塗布容器では、塗布位置において、弁部材の吐出孔を通して吐出される内容物の吐出量を調整することや、快適で心地よい塗布を行うことについて改善の余地があった。
【０００７】
そこで、本発明は、上述した事情に鑑みてなされたものであって、その目的は、内容物の吐出量を使用者が各々で調整できるとともに、快適で心地よい塗布を行うことができる塗布容器を提供することである。
【課題を解決するための手段】
【０００８】
上記課題を解決するために、本発明は以下の手段を提案している。
本発明に係る塗布容器は、被塗布部に塗布する内容物が収容される容器本体と、前記容器本体の口部に装着され、前記容器本体内に連通する連通孔を有する中栓部材と、前記中栓部材との間に、前記連通孔を通して前記容器本体内に連通する計量室を形成する計量筒部材と、前記計量室内に設けられるとともに、先端部が前記計量筒部材の頂部に形成された装着孔を通して前記計量筒部材の外部に突出する塗布栓と、を備えた塗布容器であって、前記塗布栓は、前記塗布容器の外部と前記計量室内との連通を遮断し、かつ前記計量室内と前記連通孔とを連通させる計量位置と、容器軸方向において前記計量位置よりも前記容器本体の底部側に位置するとともに、前記計量室内と前記連通孔との連通を遮断し、前記塗布容器の外部と前記計量室内とを連通させる塗布位置と、の間を容器軸方向に移動自在に配設され、前記中栓部材には、容器軸方向に沿って延びるとともに、前記塗布位置において前記塗布栓を容器軸方向に沿う前記容器本体の底部側に向けて弾性変位自在に支持する弾性部が一体に形成されていることを特徴とする。
【０００９】
このような特徴により、塗布栓が計量位置にある状態で、塗布容器をノズル筒が下向きの例えば倒立姿勢等にすると、容器本体内の内容物が、連通孔を通して計量室内に流入する。一方、計量位置においては、塗布容器の外部と計量室内との連通が遮断され、計量室から外部への内容物への流出が防止されている。そのため、塗布容器の外部への内容物の流出を防いだ上で、計量室内に所定量の内容物が計量される。
その後、塗布栓を塗布位置に移動させることで、塗布容器の外部と計量室内とが連通し、計量室内の内容物を被塗布部に吐出することができる。そして、塗布栓の先端部を被塗布部に当接させた状態で、被塗布部に対して塗布容器を押し付けることで、被塗布部上に内容物を塗布することができる。
【００１０】
ここで、塗布栓が塗布位置にある状態において、塗布栓の先端部を被塗布部に押し当てると、その押付力に応じて弾性部が容器軸方向に弾性変形することで、塗布栓が容器軸方向に沿う容器本体の底部側に向けて移動する。これにより、例えば計量室内の圧力変化や当該移動による振動（衝撃）等により、塗布容器の外部に向けて内容物が吐出されやすくなる。すなわち、塗布栓が弾性部によって弾性変位自在に支持されているので、押付力に応じて塗布位置からさらに容器本体の底部側に塗布栓を移動させることができる。このとき、塗布栓の押付力や回数等を調整すること等で、計量室から吐出される内容物の吐出量を使用者が各々で調整できる。また、計量された内容物を小分けにして吐出することができる。
また、塗布栓が弾性部によって弾性変位自在に支持されているので、塗布栓の押付時において、被塗布部に及ぼされる衝撃や外力等が弾性部のクッション作用により緩和されることになる。そのため、柔らかな塗布感触を得ることができるとともに、不快さや心地悪さを低減し、快適で心地よい塗布を行うことができる。
その結果、内容物の効能や使用者の好み等に応じて使用者が押付力や吐出量を任意に調整でき、優れた操作性を得ることができる。
【００１１】
本発明に係る塗布容器において、前記中栓部材には、容器軸方向に沿って延びるとともに、前記中栓部材及び前記塗布栓の相対的な容器軸方向の移動に伴って前記塗布栓に形成されたガイド孔内に進退し、容器軸方向に沿う前記塗布栓の移動を案内するガイド部が配設されていてもよい。
この場合には、中栓部材及び塗布栓の相対的な容器軸方向の移動に伴って塗布栓に形成されたガイド孔内に進退し、塗布栓の容器軸方向の移動を案内するガイド部が中栓部材に配設されているため、被塗布部への塗布栓の押付時において、塗布栓を容器軸方向に安定して移動させることができる。これにより、塗布栓と弾性部との位置ずれを抑制し、安定した塗布を行うことができる。
【発明の効果】
【００１２】
本発明に係る塗布容器によれば、内容物の吐出量を使用者が各々で調整できるとともに、快適で心地よい塗布を行うことができる。
【図面の簡単な説明】
【００１３】
【図１】実施形態に係る塗布容器（オーバーキャップが装着され、塗布栓が塗布位置に配置された状態）を示す部分断面図である。
【図２】実施形態に係る塗布容器（オーバーキャップを取り外す過程で塗布栓が計量位置に引き出された状態）を示す部分断面図である。
【図３】実施形態に係る塗布容器の動作説明図である。
【図４】実施形態に係る塗布容器の動作説明図である。
【発明を実施するための形態】
【００１４】
以下、図面を参照し、本発明の実施形態を説明する。
図１に示すように、本実施形態の塗布容器１は、内容物Ａ（図３，４参照）が収容される有底筒状の容器本体２と、容器本体２の口部３に装着され、容器本体２内に連通する連通孔５が形成された有頂筒状の中栓部材４と、中栓部材４との間に、連通孔５を通して容器本体２内に連通する計量室６を形成するとともに、計量室６内に連通する装着孔８が頂部に形成された計量筒部材７と、計量筒部材７の装着孔８内に挿通されるとともに、計量室６内に連通する吐出孔１０が形成された筒状の塗布栓９と、容器本体２の口部３に着脱自在に装着されて塗布栓９を覆う有頂筒状のオーバーキャップ１１と、を備えている。
【００１５】
なお、容器本体２、中栓部材４、計量筒部材７、塗布栓９、オーバーキャップ１１は、それぞれの中心軸が共通軸上に位置している。以下、この共通軸を容器軸Ｏといい、容器軸Ｏに沿う容器本体２側を単に下側、オーバーキャップ１１側を単に上側という。さらに、容器軸Ｏ方向から見た平面視において容器軸Ｏに直交する方向を径方向といい、容器軸Ｏ周りに周回する方向を周方向という。
【００１６】
容器本体２内には、人体の頭皮等の被塗布部Ｓ（図４参照）に塗布される育毛剤や薬液等の内容物Ａが収容されている。容器本体２の口部３は、口部３以外の部位（胴部や底部、肩部）よりも小径とされるとともに、上部の外径が下部の外径に比べて小さくなっている。口部３のうち、下部の外周面には雄ねじ部３ａが形成され、上部の外周面には径方向の外側に向けて突出する突起部３ｂが周方向に沿って延設されている。
【００１７】
中栓部材４は、口部３の開口縁上に配設された受け座１２と、口部３内に嵌合されるシール筒１３と、シール筒１３に対して径方向の内側に位置する受け部材１４と、中栓部材４に対する塗布栓９の容器軸Ｏ方向の移動を案内するガイド部１５と、を有している。
【００１８】
受け座１２は、容器軸Ｏ方向に沿って延びる筒状とされている。受け座１２において、下端部には径方向の外側に向けて外フランジ部１６が突設され、上端部には径方向の内側に向けて内フランジ部１７が突設されている。外フランジ部１６は、口部３の開口縁上に配設されている。内フランジ部１７には、上方に向けて弾性部１９が一体で形成されている。弾性部１９は、例えば容器軸Ｏと同軸上に延びる螺旋状又は板ばね状とされ、その下端縁が内フランジ部１７に連設されている。
【００１９】
シール筒１３は、外フランジ部１６のうち、口部３に対して径方向の内側に位置する部分から下方に向けて延設され、当該口部３に対して液密に嵌合されている。
【００２０】
受け部材１４は、有底筒状を呈し、受け座１２の内側に配設されるとともに、その周壁部の上端縁が受け座１２の内フランジ部１７に径方向から連なっている。受け部材１４には、上述した連通孔５が周方向に間隔をあけて複数形成されている。各連通孔５は、容器軸Ｏ方向に沿う縦断面視でＬ字状を呈し、受け部材１４のうち底壁及び周壁部に至る部分に跨って形成されている。
ガイド部１５は、容器軸Ｏ方向から見た平面視で例えば十字状を呈し、受け部材１４の底壁から上方に向けて立設されている。ガイド部１５の上端縁は、受け部材１４の上端縁よりも上方に位置している。なお、ガイド部１５の平面視形状は柱状や中空筒状等、適宜設計変更が可能である。
【００２１】
計量筒部材７は、上方に位置するものほど径が小さい多段筒状を呈し、中栓部材４を上方から覆うように配設されている。具体的に、計量筒部材７は、下筒部３１及び上筒部３２と、これら下筒部３１及び上筒部３２間を接続する接続筒部３３と、を有している。
【００２２】
下筒部３１は、容器本体２における口部３の上部及び中栓部材４の上述した外フランジ部１６に外嵌されている。具体的に、下筒部３１の下部には、径方向の内側に向けて突出する第１突起部４１が周方向に沿って延設されている。また、下筒部３１のうち、第１突起部４１よりも上方に位置する部分には、径方向の内側に向けて突出する第２突起部４２が周方向に沿って延設されている。これら突起部４１，４２のうち、第１突起部４１は上述した口部３の突起部３ｂに下方から係止され、第２突起部４２は上述した受け座１２の外フランジ部１６に下方から係止されている。これにより、下筒部３１が口部３及び中栓部材４にそれぞれアンダーカット嵌合されている。
【００２３】
接続筒部３３は、上方に位置するものほど径が小さい多段筒状を呈し、上述した受け座１２及び弾性部１９を径方向の外側から囲繞している。接続筒部３３のうち、下筒部３１の上端縁よりも下方に位置する部分は、受け座１２に外嵌されるとともに、口部３の上端縁との間に外フランジ部１６を容器軸Ｏ方向で挟持している。
【００２４】
上筒部３２は、接続筒部３３の上端縁から上方に向けて延設され、その内側が上述した装着孔８となっている。図示の例において、上筒部３２の上部は、下部に比べて内径が小さい縮径部となっている。
そして、本実施形態では、中栓部材４と計量筒部材７とで画成された空間が計量室６を構成している。この場合、計量室６は、連通孔５を通して容器本体２内に連通可能とされる一方、塗布栓９の吐出孔１０に連通可能とされる。
【００２５】
塗布栓９は、計量筒部材７に対して容器軸Ｏ方向に沿って移動自在に構成されている。具体的に、塗布栓９は、吐出孔１０を通した塗布容器１の外部と計量室６内との連通を遮断し、かつ計量室６内と連通孔５とを連通させる計量位置（図２等参照）と、容器軸Ｏ方向において計量位置よりも下方に位置するとともに、計量室６内と連通孔５との連通を遮断し、かつ吐出孔１０を通した塗布容器１の外部と計量室６内とを連通させる塗布位置（図１参照）と、の間を移動自在とされている。
【００２６】
塗布栓９は、計量室６内と連通孔５及び吐出孔１０それぞれとの連通及び遮断を切り替える栓本体部５１と、栓本体部５１の上方に連なるとともに、計量室６内に収容される内容物Ａを吐出するための吐出筒５２と、を備えている。
栓本体部５１は、容器軸Ｏと同軸上に配置された有頂筒状を呈し、図１に示す塗布位置において筒部５３がガイド部１５に外挿されるとともに、受け部材１４の筒部内に挿入されている。すなわち、筒部５３の内側は、計量位置及び塗布位置間での中栓部材４及び塗布栓９の相対的な容器軸Ｏ方向の移動に伴ってガイド部１５が進退するガイド孔を構成している。
【００２７】
筒部５３の下端部には、塗布栓９の移動に伴い受け部材１４に接離可能とされたシール部５４が形成されている。シール部５４は、板厚が筒部５３の中間部分よりも薄い筒状とされ、弾性変形可能とされている。図示の例において、シール部５４は、下方に向かうに従い径方向の外側に向けて延びるテーパ状を呈している。シール部５４は、図１に示す塗布位置において受け部材１４の筒部のうち連通孔５よりも上方に位置する部分に当接している。これにより、栓本体部５１が連通孔５を上方から閉塞することで、連通孔５を通した計量室６内と容器本体２内との連通を遮断する。一方、シール部５４は、図２に示す計量位置において受け部材１４から上方に離間している。これにより、栓本体部５１が連通孔５を開放して、計量室６内と容器本体２内とが連通孔５を通して連通する。
【００２８】
筒部５３における容器軸Ｏ方向の中間部分には、径方向の外側に向けて突出する環状の支持片５６が突設されている。支持片５６は、図１に示す塗布位置において上述した弾性部１９に下方から支持されている。すなわち、塗布栓９は、塗布位置において、弾性部１９に容器軸Ｏ方向に弾性変位自在に支持されている。一方、支持片５６は、図２に示す計量位置において弾性部１９から上方に離間するとともに、計量筒部材７の上筒部３２の下端縁に下方から当接し、装着孔８を閉塞している。これにより、吐出孔１０を通した塗布容器１の外部と計量室６内との連通が遮断される。なお、支持片５６は、計量位置において接続筒部３３内に嵌合することで、吐出孔１０と計量室６内との連通を遮断しても構わない。また、計量位置において、栓本体部５１の上端縁が、上筒部３２の上部に形成された縮径部に下方から当接することで、吐出孔１０と計量室６内との連通を遮断しても構わない。なお、上筒部３２の内面を塗布栓９の外面が液密に摺動するように構成して、吐出孔１０と計量室６内との連通及び遮断を切り替えることもできるが、支持片５６によって吐出孔１０と計量室６内との連通を遮断する構成の方が、塗布栓９と計量筒部材７との間の摺動抵抗を低減させることができる。
【００２９】
図１に示すように、吐出筒５２は、栓本体部５１の頂壁部５５から上方に向けて立設され、上端部（先端部）が装着孔８を通して計量筒部材７よりも上方に突出している。吐出筒５２は、上方に位置するものほど外径が小さい多段筒状とされ、その内側が上述した吐出孔１０となっている。本実施形態において、吐出筒５２は、大径部６１と、大径部６１の上方に連なり、大径部６１よりも小径とされた小径部６２と、を有している。
【００３０】
大径部６１は、外径が上述した上筒部３２の内径と同等とされ、上筒部３２内に摺動可能に嵌合される。大径部６１の下端部には、大径部６１を径方向に貫通するとともに、吐出孔１０に連通する連通路６４が形成されている。この連通路６４は、吐出筒５２（吐出孔１０）内と計量室６内とを連通可能とするものであって、塗布位置において径方向の両端開口部が計量室６内に向けて開口している。なお、図２に示す計量位置において、連通路６４の径方向の両端開口部は、上筒部３２（縮径部）によって閉塞されている。但し、計量位置において、上述したように支持片５６又は栓本体部５１により吐出孔１０と計量室６内との連通が遮断されていれば、連通路６４は上筒部３２により閉塞されていなくても構わない。また、図示の例において、大径部６１の外径は、上述した栓本体部５１の外径よりも僅かに小さくなっている。
【００３１】
小径部６２は、外径が計量筒部材７の上筒部３２の内径よりも小さい筒状とされている。小径部６２の上端部には径方向の外側に向けて突出する係止突起６６が周方向に沿って延設されている。係止突起６６は、容器軸Ｏ方向の両端部が径方向の外側に向けて突の曲面状とされている。
【００３２】
オーバーキャップ１１は、容器本体２の口部３、計量筒部材７及び塗布栓９を径方向の外側から取り囲む周壁部８１と、周壁部８１の上端開口部を閉塞する天壁部８２と、を有している。
天壁部８２は、塗布栓９の上端縁に上方から当接している。但し、天壁部８２は、塗布栓９の上端縁に当接していなくても構わない。
【００３３】
天壁部８２のうち、周壁部８１に対して径方向の内側に位置する部分には、下方に向けて延びる装着筒８３が配設されている。装着筒８３の下部内周面には、口部３の上述した雄ねじ部３ａに螺着される雌ねじ部８３ａが形成されている。なお、装着筒８３と口部３との装着方法は、適宜設計変更が可能であり、例えばアンダーカット嵌合等によって装着筒８３を口部３に装着し、容器軸Ｏ方向に沿うスライド操作によって装着筒８３と口部３とを着脱しても構わない。また、装着筒８３に代えて周壁部８１を口部３に装着しても構わない。
【００３４】
天壁部８２のうち、装着筒８３よりも径方向の内側に位置する部分には、上述した塗布栓９に係止される係止筒８４が形成されている。係止筒８４は、塗布栓９の小径部６２（計量筒部材７から突出した部分）を径方向の外側から取り囲んでいる。係止筒８４の下端部には、径方向の内側に向けて張り出す係止突起８５が形成されている。係止突起８５は、オーバーキャップ１１の装着状態において、塗布栓９の上述した係止突起６６に下方から対向している。また、係止突起８５は、オーバーキャップ１１の取り外し操作時において、塗布栓９に対してオーバーキャップ１１が上方移動したときに、塗布栓９の係止突起６６に下方から係止され、かつ所定以上の外力が作用したときに係止突起６６を上方に乗り越え可能とされている。
【００３５】
次に、上述した塗布容器１の作用について説明する。なお、以下の説明では、図１に示す状態（オーバーキャップ１１が装着され、塗布栓９が塗布位置に配置された状態）を初期状態とする。
まず、図１に示す初期状態の塗布容器１において、容器本体２の口部３とオーバーキャップ１１との螺着を解除し、オーバーキャップ１１を取り外す。具体的には、図２に示すように、オーバーキャップ１１と容器本体２とを螺着が解除される方向に相対回転させると、この相対回転に伴いオーバーキャップ１１が容器本体２に対して上方移動する。すると、オーバーキャップ１１の係止突起８５が塗布栓９の係止突起６６に下方から係止される。その後、オーバーキャップ１１が容器本体２に対してさらに上方移動することで、塗布栓９が引き上げられる。すなわち、本実施形態では、オーバーキャップ１１の取り外し操作を行うことで、塗布栓９を計量位置に移動させることができる。
【００３６】
そして、塗布栓９は、支持片５６が計量筒部材７の上筒部３２に下方から当接することで、計量筒部材７に対する上方移動が規制され、上述した計量位置となる。この状態で、オーバーキャップ１１と容器本体２とを螺着が解除される方向にさらに相対回転させると、塗布栓９に対してオーバーキャップ１１が上方移動することで、オーバーキャップ１１の係止突起８５が塗布栓９の係止突起６６を上方に乗り越える。これにより、オーバーキャップ１１と塗布栓９との係止が解除され、オーバーキャップ１１のみが上方移動することで、オーバーキャップ１１と容器本体２の螺着が解除され、オーバーキャップ１１が取り外される。
【００３７】
次に、図３に示すように、容器本体２内の内容物Ａを計量室６内に流入させる。具体的には、まず塗布栓９が計量位置にある状態で、塗布容器１を吐出孔１０が下向きとなる倒立姿勢とする。すると、容器本体２内の内容物Ａが、連通孔５を通して計量室６内に流入する。一方、計量位置においては、支持片５６によって装着孔８が閉塞されているため、塗布栓９の連通路６４を通した吐出孔１０と計量室６内との連通が遮断され、連通路６４内への内容物Ａの流入が防止されている。これにより、塗布容器１の外部への内容物Ａの流出を防いだ上で、計量室６内に所定量の内容物Ａが計量される。なお、吐出姿勢では、塗布容器１の上下が反転するため、容器軸Ｏ方向に沿う塗布栓９側が下側、容器本体２側が上側となる。
【００３８】
続いて、図４における容器軸Ｏに対して左側部分に示すように、塗布容器１を倒立姿勢に維持した状態で、塗布栓９を塗布位置に向けて移動させる。具体的には、塗布栓９を被塗布部Ｓに押し付けると、塗布栓９が計量筒部材７に対して容器本体２側に向けて移動する。このとき、塗布栓９の支持片５６が弾性部１９に当接する位置まで塗布栓９を移動させると、シール部５４が受け部材１４の筒部内に嵌合するとともに、連通路６４が計量室６内で開口する。これにより、シール部５４によって連通孔５と計量室６内の連通が遮断され、かつ塗布栓９の連通路６４を通して吐出孔１０と計量室６内とが連通する塗布位置となる。これにより、計量室６内の内容物Ａが連通路６４内及び吐出筒５２内を通して吐出孔１０から被塗布部Ｓ上に吐出される。
【００３９】
ここで、図４における容器軸Ｏに対して右側部分に示すように、塗布栓９が塗布位置にある状態において、塗布栓９を被塗布部Ｓにさらに押し当てると、その押付力に応じて弾性部１９が容器軸Ｏ方向に弾性変形し、塗布栓９が容器本体２側に向けて移動する。これにより、例えば計量室６内の圧力変化や当該移動による振動（衝撃）等により、内容物Ａが計量室６から被塗布部Ｓ上に吐出されやすくなる。その後、被塗布部Ｓへの押付力を解除すると、弾性部１９が復元変形することで塗布栓９が容器本体２の外方に向けて移動する。
【００４０】
このように、本実施形態では、塗布栓９を、塗布位置において容器本体２の底部側に向けて弾性変位自在に支持する弾性部１９を備えているので、塗布栓９の押付力に応じて塗布位置からさらに容器本体２側に向けて塗布栓９を移動させることができる。このとき、塗布栓９の押付力や回数等を調整すること等で、計量室６から吐出される内容物Ａの吐出量を使用者が各々で調整できる。また、計量された内容物Ａを小分けにして吐出することができる。
また、塗布栓９が弾性部１９によって弾性変位自在に支持されているので、塗布栓９の押付時において、被塗布部Ｓに及ぼされる衝撃や外力等が弾性部１９のクッション作用により緩和されることになる。そのため、柔らかな塗布感触を得ることができるとともに、不快さや心地悪さを低減し、快適で心地よい塗布を行うことができる。
その結果、内容物Ａの効能や使用者の好み等に応じて使用者が押付力や吐出量を任意に調整でき、優れた操作性を得ることができる。
【００４１】
また、塗布栓９の容器軸Ｏ方向の移動を案内するガイド部１５が中栓部材４に配設されているため、被塗布部Ｓへの塗布栓９の押付時において、塗布栓９を容器軸Ｏ方向に安定して移動させることができる。これにより、塗布栓９と弾性部１９との位置ずれを抑制し、安定した塗布を行うことができる。
【００４２】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、弾性部１９が螺旋状に形成された構成について説明したが、これに限られない。また、弾性部１９は、中栓部材４において周方向に間隔をあけて配設しても構わない。
上述した実施形態では、塗布栓９の吐出孔１０を通して内容物Ａを吐出する構成について説明したが、これに限られない。例えば、連通路６４を設けず、塗布位置において、装着孔８（塗布栓９の外周と計量筒部材７の内周との間の隙間）を通して内容物Ａを吐出させる構成であっても構わない。この場合、塗布栓９の押付力によって上述した隙間の開度を調整して、内容物Ａの吐出量を調整することが可能である。
また、弾性部１９は、中栓部材４と同一材料に限らず、中栓部材４と異種材料を二材成形等により中栓部材４に一体で形成しても構わない。
また、容器本体２は、有底筒状に限らず、チューブ状等であっても構わない。
【００４３】
上述した実施形態では、支持片５６が弾性部１９に当接した状態で連通路６４が計量室Ｓ内に開口する構成について説明したが、これに限られない。例えば、支持片５６が弾性部１９に当接した状態では、連通路６４が径方向から上筒部３２により閉塞されており、弾性部１９を変形させつつ塗布栓９を押し込むことで連通路６４が開放される構成でも構わない。また、支持片５６が弾性部１９に当接した状態では、連通路６４が径方向から上筒部３２により覆われ、塗布栓９と上筒部３２との間の隙間を通して連通路６４内に内容物Ａが漏出し難くなっており、弾性部１９を変形させつつ塗布栓９を押し込むことで連通路６４が完全に開放される構成でも構わない。
【００４４】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００４５】
１…塗布容器
２…容器本体
３…口部
４…中栓部材
５…連通孔
６…計量室
７…計量筒部材
８…装着孔
９…塗布栓
１５…ガイド部
１９…弾性部
【図１】
0006442348.tif 000002
【図２】
0006442348.tif 000003
【図３】
0006442348.tif 000004
【図４】
0006442348.tif 000005